(57)【要約】【課題】少量の試料でも、短時間に高感度および高精度で複数の試料の検査が可能なインクジェット法を用いた検査方法、およびこれを実施する検査装置を提供する。【解決手段】本発明に係るインクジェット法を用いた検査方法は、被検体を含む第１の溶液を、インクジェット法で吐出させることにより基板上に塗布する第１の工程と、抗体を含む第２の溶液を、インクジェット法で吐出させることにより基板上に塗布する第２の工程と、を有し、第１の溶液と第２の溶液は、基板上の同じ位置に塗布され、抗体と被検体とを基板上で反応させることにより、被検体を定量する。【選択図】なし【特許請求の範囲】
【請求項１】
被検体を含む第１の溶液を、インクジェット法で吐出させることにより基板上に塗布する第１の工程と
抗体を含む第２の溶液を、インクジェット法で吐出させることにより前記基板上に塗布する第２の工程と、を有し、
前記第１の溶液と前記第２の溶液は、前記基板上の同じ位置に塗布され、
前記抗体と前記被検体とを前記基板上で反応させることにより、前記被検体を定量する、インクジェット法を用いた検査方法。
【請求項２】
請求項１において、
前記第１の溶液と前記第２の溶液とが、複数回の吐出によって前記基板上で混合される、インクジェット法を用いた検査方法。
【請求項３】
請求項１または請求項２において、
前記基板の被着面は撥水領域を備える、インクジェット法を用いた検査方法。
【請求項４】
請求項１ないし請求項３のいずれか１項において、
前記基板は透明である、インクジェット法を用いた検査方法。
【請求項５】
請求項１ないし請求項４のいずれか１項において、
前記抗体は、粒子に付着されている、インクジェット法を用いた検査方法。
【請求項６】
請求項１ないし請求項５のいずれか１項において、
前記粒子の粒子径が１０ｎｍ以上１μｍ以下である、インクジェット法を用いた検査方法。
【請求項７】
請求項１ないし請求項６のいずれか１項において、
前記反応は、加熱手段により加熱されながら行われる、インクジェット法を用いた検査方法。
【請求項８】
請求項１ないし請求項７のいずれか１項において、
前記第１および第２の溶液を吐出させる方式が、電歪素子を用いたヘッドを用いる方式である、インクジェット法を用いた検査方法。
【請求項９】
請求項１ないし請求項８のいずれか１項において、
前記第１の溶液と前記第２の溶液とは、異なるノズルより吐出させる、インクジェット法を用いた検査方法。
【請求項１０】
請求項１ないし請求項９のいずれか１項において、
更に、洗浄液、試薬溶液、増幅溶液および検出溶液からなる群より選択される少なくとも一種である第３の溶液を、前記第１および第２の溶液を塗布した位置と同じ位置に塗布する第３の工程を有する、インクジェット法を用いた検査方法。
【請求項１１】
被検体を含む第１の液体をインクジェット法により基板上に吐出する第１のノズルと、
抗体を含む第２の液体をインクジェット法により前記基板上に吐出する第２のノズルとを備え、
前記第１のノズルと前記第２のノズルは、前記第１の溶液と前記第２の溶液とが、前記基板上の同じ位置に吐出されるように構成される、インクジェット法を用いた検査装置。
【発明の詳細な説明】
【技術分野】
【０００１】
本発明は、インクジェット法を用いた検査方法、およびこれを実施する検査装置に関する。
【背景技術】
【０００２】
免疫学的測定法（以下イムノアッセイという）は、物理・化学的測定法の１つであり、抗原の抗体に対する結合能力を利用して試料液体中に含まれる物質を定量的に測定する方法である。例えば、機器分析を用いて定量分析を行う場合には、目的とする物質の磨砕抽出の後に煩雑な精製操作が必要となるが、イムノアッセイでは簡単な前処理のみで測定が可能である。このように、操作が簡単で短時間で分析結果がわかるだけでなく、高価な分析機器や試薬を必要としないため、イムノアッセイは汎用されている。
【０００３】
その中でもエライザ（ＥＬＩＳＡ）法は、抗原または抗体を、支持体、例えば、ポリスチレンよりなるマイクロプレートの底面に吸着固定し、そのウェル内で抗原抗体反応を行う方法として広く用いられている。しかしながら、この手動による方法では、機器分析ほどではないものの前処理が必要であり、また、反応操作に熟練を要すること、更には検査専用の器具などが必要なことから、大規模な検査機関でしか利用できなかったり、一度に検査できる検体数を増やすことができない。
【０００４】
そこで、より簡易な方法として、抗原抗体反応を平板の膜面上で行う、いわゆるクロマト法が用いられている。クロマト法は、測定対象物である被検体と、被検体中に含まれる特定の物質に特異的に反応する抗原または抗体とをまず反応させ、平板の膜面上を移動させながら、事前に膜面上の中間部分に固相化しておいた測定対象物に対する抗原もしくは抗体とを反応させることにより、測定対象物の有無を判別するものである。しかし、精度の良い検査結果を得るためには、再現性良く、一定量の抗原や抗体を正確に所定の膜面上に固相化させることが難しく、反応に時間がかかるという欠点がある。
【０００５】
このクロマト法において、平板の膜面上に抗原もしく抗体をあらかじめ固相化する方法は極めて重要であり、精度の良い検査結果を得るためには、再現性良く、一定量の抗原や抗体を正確に所定の膜面上に固相化する必要がある。そこで、インクジェットを用いる方法が検討されている。
【０００６】
これまでに検討されてきたものとして、例えば、特許文献１には、インクジェット法によりタンパク質溶液を液滴として固相に付着させる方法が開示されており、この方法によりタンパク質が基板上に安定に固定され、かつこのタンパク質の機能・活性が失活することなく安定に保持される旨が記載されている。また、特許文献２にも、インクジェットを用いた反応性材料の固定化技術が開示されている。
【０００７】
さらに、特許文献３には、印字機構にピエゾ素子を有するインクジェット方式の印刷機を使用し、抗体や抗原を固相化するに際して、ニトロセルロース膜等のように蛋白質吸着能を有する膜もしくは担体を用いることが開示されている。
【０００８】
また、特許文献４には、抗原抗体反応により標的物質を検出するためのチップであって、該チップは標的物質の検出が認識される判定領域を１又は２以上有し、それぞれの判定領域が、標的物質と抗原抗体反応を起こす検出用タンパク質を固定化した固定化領域を独立して２以上備える、標的物質検出用チップが開示されている。
【先行技術文献】
【特許文献】
【０００９】
【特許文献１】特開２００５−０６９９８８号公報
【特許文献２】特開２００１−１１６７５０号公報
【特許文献３】特開平０９−５４０９３号公報
【特許文献４】特開２０１０−００８１０９号公報
【発明の概要】
【発明が解決しようとする課題】
【００１０】
しかしながら、これらの技術は、測定に使用する試料及び試薬を減らすと検出感度が低下するため、定量分析を行うためには、更なる感度および精度の向上が望まれている。
【００１１】
そこで、本発明に係る幾つかの態様は、上述の課題の少なくとも一部を解決することで、少量の試料でも、短時間に高感度および高精度で複数の試料の検査が可能なインクジェット法を用いた検査方法、およびこれを実施する検査装置を提供することにある。
【課題を解決するための手段】
【００１２】
本発明は、上記課題の少なくとも一部を解決するためになされたものであり、以下の態様または適用例として実現することができる。
【００１３】
［適用例１］
本発明に係るインクジェット法を用いた検査方法の一態様は、
被検体を含む第１の溶液を、インクジェット法で吐出させることにより基板上に塗布する第１の工程と、
抗体を含む第２の溶液を、インクジェット法で吐出させることにより前記基板上に塗布する第２の工程と、を有し、
前記第１の溶液と前記第２の溶液は、前記基板上の同じ位置に塗布され、
前記抗体と前記被検体とを前記基板上で反応させることにより、前記被検体を定量する。
【００１４】
適用例１の態様によれば、インクジェット法により第１の溶液と第２の溶液とを基板上の同じ位置に塗布しているため、少量の試料でも、短時間に高感度および高精度で複数の試料の検査が可能となる。
【００１５】
［適用例２］
適用例１のインクジェット法を用いた検査方法において、
前記第１の溶液と前記第２の溶液とが、複数回の吐出によって前記基板上で混合されることができる。
【００１６】
［適用例３］
適用例１または適用例２のインクジェット法を用いた検査方法において、
前記基板の被着面は撥水領域を備えることができる。
【００１７】
［適用例４］
適用例１ないし適用例３のいずれか一例のインクジェット法を用いた検査方法において、
前記基板は透明であることができる。
【００１８】
［適用例５］
適用例１ないし適用例４のいずれか一例のインクジェット法を用いた検査方法において
、
前記抗体は、粒子に付着されていることができる。
【００１９】
［適用例６］
適用例１ないし適用例５のいずれか一例のインクジェット法を用いた検査方法において、
前記粒子の粒子径が１０ｎｍ以上１μｍ以下であることができる。
【００２０】
［適用例７］
適用例１ないし適用例６のいずれか一例のインクジェット法を用いた検査方法において、
前記反応は、加熱手段により加熱されながら行われることができる。
【００２１】
［適用例８］
適用例１ないし適用例７のいずれか一例のインクジェット法を用いた検査方法において、
前記第１および第２の溶液を吐出させる方式が、電歪素子を用いたヘッドを用いる方式であることができる。
【００２２】
［適用例９］
適用例１ないし適用例８のいずれか一例のインクジェット法を用いた検査方法において、
前記第１の溶液と前記第２の溶液とは、異なるノズルより吐出させることができる。
【００２３】
［適用例１０］
適用例１ないし適用例９のいずれか一例のインクジェット法を用いた検査方法において、
更に、洗浄液、試薬溶液、増幅溶液および検出溶液からなる群より選択される少なくとも一種である第３の溶液を、前記第１および第２の溶液を塗布した位置と同じ位置に塗布する第３の工程を有することができる。
【００２４】
［適用例１１］
本発明に係るインクジェット法を用いた検査装置の一態様は、
被検体を含む第１の液体をインクジェット法により基板上に吐出する第１のノズルと、
抗体を含む第２の液体をインクジェット法により前記基板上に吐出する第２のノズルとを備え、
前記第１のノズルと前記第２のノズルは、前記第１の溶液と前記第２の溶液とが、前記基板上の同じ位置に吐出されるように構成される。
【図面の簡単な説明】
【００２５】
【図１】本実施の形態に用いる検査装置の構成を示す図。
【図２】液滴吐出ヘッドの構成を示す図。
【図３】基板上にアレイ状に配置された溶液を示す上面図。
【図４】基板上に溶液を吐出する様子を示す図。
【発明を実施するための形態】
【００２６】
以下、本発明の好適な実施形態について詳細に説明する。なお、本発明は、下記の実施形態に限定されるものではなく、本発明の要旨を変更しない範囲において実施される各種の変形例も含む。
【００２７】
１．インクジェット法を用いた検査方法および検査装置
本発明の一実施形態に係るインクジェット法を用いた検査方法は、被検体を含む第１の溶液を、インクジェット法で吐出させることにより基板上に塗布する第１の工程と、抗体を含む第２の溶液を、インクジェット法で吐出させることにより基板上に塗布する第２の工程と、を有し、第１の溶液と第２の溶液は、基板上の同じ位置に塗布され、抗体と被検体とを基板上で反応させることにより、被検体を定量する。
【００２８】
以下、本実施の形態に係るインクジェット法を用いた検査方法について、これを実施可能な装置の構成、基板、検査方法の順に詳細に説明する。
【００２９】
１．１．検査装置
本実施の形態に係る検査方法が実施されるインクジェット法を用いた検査装置は、被検体を含む第１の液体をインクジェット法により基板上に吐出する第１のノズルと、抗体を含む第２の液体をインクジェット法により基板上に吐出する第２のノズルとを備え、第１のノズルと第２のノズルは、第１の溶液と第２の溶液とが、基板上の同じ位置に吐出されるように構成される。なお、ここにおいて、「基板上の同じ位置」とは、基板上で第１の溶液の液滴と第２の溶液の液滴とが接触できる領域をさす。本実施の形態に係る検査装置としては、例えば、図１に示す液滴吐出装置が挙げられる。
【００３０】
図１は、本実施の形態の検査装置として用いる液滴吐出装置の構成を示す図である。
【００３１】
図１に示すように、液滴吐出装置は、液滴吐出部１００、ステージ（作業台）１０１、Ｙ方向駆動軸１０２、Ｘ方向ガイド軸１０４、ステージ駆動モータ１０５、基台１０６、制御部１０７を備えて構成され、ステージ１０１上には、基板１０８が載置されている。この基板１０８上に、被検体を含む第１の溶液と抗体を含む第２の溶液をインクジェット法で吐出させることにより基板上に塗布し、第１の溶液と第２の溶液とを混合して抗体と被検体とを基板上で反応させる。
【００３２】
Ｙ方向駆動軸１０２には、Ｙ方向駆動モータ１０３が接続されている。Ｙ方向駆動モータ１０３は、例えばステッピングモータ等であり、制御部１０７からＹ軸方向に対向する動作信号が供給されると、Ｙ方向駆動軸１０２を回転させる。Ｙ方向駆動軸１０２が回転させられると、液滴吐出部１００はＹ方向に移動する。
【００３３】
Ｘ軸方向ガイド軸１０４は、基台１０６に固定されている。また、ステージ１０１には、ステージ駆動モータ１０５が接続されている。ステージ駆動モータ１０５は、例えばステッピングモータ等であり、制御部１０７からＸ軸方向に対応する駆動信号が供給されると、ステージ１０１をＸ方向に移動させる。すなわち、ステージ１０１をＸ方向に駆動し、液滴吐出部１００をＹ方向に駆動することによって、液滴吐出部１００を基板１０８上の所望の場所に自在に移動させることができる。なお、液滴吐出部１００および基板１０８を相対的に移動させる手段としては、上記構成に限られず適宜変更可能である。
【００３４】
制御部１０７は、吐出させる溶液の吐出タイミング、吐出回数等を制御する為の駆動信号を液滴吐出部１００に供給する。また、制御部１０７は、Ｙ方向駆動モータ１０３及びステージ駆動モータ１０５のそれぞれに対して、これらの動作を制御する為の駆動信号を供給する。
【００３５】
次いで、液滴吐出部１００の構成例について説明する。図２は、液滴吐出ヘッドの構成を示す図である。このような液滴吐出ヘッド３０が液滴吐出部１００内に、ノズル３２１が基板１０８と対向するよう内蔵される。この液滴吐出ヘッドは、いわゆる静電駆動方式である。
【００３６】
図２（Ａ）に示すように、液滴吐出ヘッド３０は、カバーガラス３１と加圧室基板３２と電極基板３３とによって構成されている。また、図２（Ｂ）に示すように、加圧室基板３２には、タンク（図示せず）から供給される液体の受領口３２３と、加圧室３２２とノズル３２１が連通するように形成されている。加圧室３２２の壁の一部には振動板が設けられており、この振動板と対向する側であって、流路とは反対側に、空隙を介して電極３３４（対向電極）が設けられている。振動板と対向電極３３４に電位差を与えると、振動板は、対向電極３３４に静電圧力により引き付けられて、加圧室に負圧を発生させる。この電位差を解除した際に、振動板の復元力により、加圧室内の液体を微少粒径の液滴にしてノズル３２１から吐出させる。
【００３７】
上記ノズル３２１から基板１０８上に各溶液を吐出させることにより、基板１０８上に複数の溶液の液滴を塗布することができる（図３参照）。図３は、基板１０８上にアレイ状に配置された溶液を示す上面図である。
【００３８】
なお、液滴吐出部１００に液滴吐出ヘッド３０を複数内蔵させて、ヘッド毎に個別にタンクを接続する構成が好ましい。個別にタンクを配置することにより、多種の吐出溶液を塗布することが可能となり、後述する検査方法に用いる各種溶液をヘッド毎に塗布することが可能となる。なお、１つのタンクを複数のヘッドに共通に配置してもよい。タンクを共通とすれば、同一の被検体溶液を基板１０８上に吐出することができる。
【００３９】
図２においては、液滴吐出ヘッド３０として、印字機構部分が静電駆動方式のヘッドを例示したが、これに限らず、電歪素子（ピエゾ素子）を用いたピエゾ方式、気泡方式のヘッドも採用することができるが、被検体と反応させる抗体の分解・変質等を防止するため、瞬間的な発熱を併有しない静電駆動方式またはピエゾ方式のヘッドを採用することが好ましい。静電駆動方式またはピエゾ方式を用いた吐出では、熱を発生することもなく、また、サーマルヘッドのように熱源に付着することもないため、熱に弱い抗原や抗体が劣化することが防止される。
【００４０】
また、液滴吐出ヘッド３０は、複数色のインクを噴射し、各色ごとに多数のノズルを備えるフルカラー印刷用のシリアル型ヘッドであることが好ましい。例えば、液滴吐出ヘッド３０の基板１０８と対向する面に形成されたノズル面（図示せず）に溶液を吐出するノズル（ノズル開口）を複数設け、所定方向に複数配列されることでノズル列を構成してもよい。この場合には、複数のノズル列を設けることにより、１ノズル列ずつ異なる溶液を充填することができる。
【００４１】
このように、複数のノズル３２１を備える構成の場合には、そのうちの１つを、被検体を含む第１の溶液をインクジェット法により基板上に吐出する第１のノズル（図示せず）とし、別の１つを抗体を含む第２の溶液をインクジェット法により基板１０８上に吐出する第２のノズル（図示せず）に割り当てることができる。また、それ以外のノズルを、抗体と被検体との反応物を洗浄する洗浄液や、試薬溶液、増幅溶液、検出溶液などの第３の溶液をインクジェット法により基板１０８上に吐出するノズルに割り当てることができる。なお、インクジェット法を用いずに他の溶液を吐出することも可能であるが、安定して溶液を定量吐出をさせる観点から、第３の溶液もインクジェットのヘッドから吐出されることが好ましい。
【００４２】
本実施の形態の検査装置として用いる液滴吐出装置では、液滴吐出部１００を複数のノズル３２１を備える構成とすることにより、多種の被検体や各種溶液を基板１０８上に吐出することができ、作業効率を向上させることが可能となる。
【００４３】
なお、本実施の形態で用いる液滴吐出装置では、基板１０８が搭載されるステージ１０１に加熱手段１１０が接続されている（図１参照）。かかる構成部分を図４の模式図を参照しながら説明する。図４は、本実施の形態の液滴吐出装置の要部断面図である。
【００４４】
図４に示すように、液滴吐出部１００のノズル３２１の下部に基板１０８が配置されている。この基板１０８は、ステージ１０１上にはめ込まれ、固定されている。ステージ１０１の裏面には、加熱ヒーター１１０として加熱素子１１０Ａが接続され、配線１１０Ｂによって外部電源（図示せず）と接続されている。加熱素子１１０Ａは、加熱手段として用いられているものであれば、特に制限されず使用可能である。例えば、加熱素子１１０Ａとして金属を用いた抵抗発熱体などが使用可能であるが、抗原抗体反応の至適温度、例えば、３７℃を維持できる程度に加温し、高温になり過ぎない程度に制御可能であるものが好ましい。
【００４５】
このように、本実施の形態で用いる液滴吐出装置では、加熱ヒーター１１０によりステージ１０１を介して基板１０８を加温し、ノズル３２１から基板１０８上に吐出された溶液３５０ａを加温することができる。このため、基板１０８上の、後述する抗原抗体反応や、その他の発色および発色停止反応などを促進することが可能となる。なお、加熱素子１１０Ａの代わりに圧電素子を用いてもよい。圧電素子を用いた場合には、圧電振動により、各溶液の混合および反応を促進することが可能となる。
【００４６】
１．２．基板
次に、本実施の形態に係るインクジェット法を用いた検査方法において使用する基板について説明する。
【００４７】
本実施の形態で使用する基板１０８としては、例えばガラス基板などを用いることができる。また、基板１０８は、その表面（被着面）に撥水領域（図示せず）を備えることが好ましい。後述するように、本実施の形態で用いる第１および第２の溶液は水系の溶液であるため、基板１０８が表面に撥水領域を備える場合には、図４に示すように、ノズル３２１から吐出されることにより塗布された溶液３５０ａの基板１０８表面との接触角が大きくなり、抗原抗体反応などの各反応が促進される。
基板として、
【００４８】
接触角が大きくなり過ぎると、溶液が球状になって混合しにくくなるため、接触角は１５０°を超えないことが好ましい。また、撥水領域は、基板１０８の全面に形成されてもよく、部分的に形成されることにより、基板１０８の被着面に撥水領域と浸水領域を備える構成としてもよい。例えば、被検体を含む第１の溶液と抗体を含む第２の溶液とを基板１０８上の浸水領域に塗布し、そこで反応させる構成としてもよい。浸水領域では、塗布された溶液の接触角が９０°以下になり、濡れ性があるため、各溶液が撥水領域にはみ出た場合であっても、浸水領域に戻りやすくなる。このため、被検体を含む第１の溶液と抗体を含む第２の溶液との抗原抗体反応をはじめとする各反応が確実に行われる。
【００４９】
基板１０８の撥水領域は、例えば、撥水性を有する金属アルコキシドの分子膜を成膜し、その後、乾燥処理、アニール処理等を経て形成することができる。また、例えば、ガラス基板の表面をシリコーンで撥水処理してもよい。被着面に撥水領域と浸水領域を備える基板を形成する場合には、例えば、フッ素樹脂などを用いたプラズマで撥水処理した後、この基板上に５ｍｍ程度の円形の穴の開いたマスクを被せて酸素プラズマで円形部分の浸水処理を行い、マスクをはがして、円形の浸水領域と、それ以外の撥水領域を有する基板を形成してもよい。また、撥水処理した基板表面に、セルロースナノ粒子をインクジェット法を用いて塗布し、その後乾燥することによって浸水領域を形成してもよい。
【００５０】
なお、基板１０８は透明であってもよい。基板１０８が透明の場合には、後述するプレートリーダーで吸光度を測定しなくても、各溶液の発色の程度が裏面より目視で識別できるため、短時間で反応結果の概要を知ることが可能となる。
【００５１】
１．３．第１の溶液
次に、本実施の形態に係るインクジェット法を用いた検査方法において使用する第１の溶液について説明する。第１の溶液は、第２の溶液に含まれる抗体と特異的に反応する被検体を含む。
【００５２】
例えば、直接競合阻害ＥＬＩＳＡ法では、農薬などの被検体、およびそのハプテンと酵素との結合体（酵素標識ハプテン）が、それらに対する抗体と競合的に反応した後、抗体と結合した酵素標識ハプテンの酵素活性を利用して農薬濃度を測定するものであり、測定時の反応ステップが少なく高感度で精確さに優れる検査方法である。通常、抗体は９６ウェルプレートの各ウェルなどの担体に固相化され、そこに被検体が分注されてウェル中で反応されるが、本実施の形態に係るインクジェット法を用いた検査方法では、抗体を担体に固相化させずに、被検体を含む第１の溶液が塗布された位置と同じ位置にインクジェット法で吐出させることにより基板上に塗布し、基板上で第１の溶液と第２の溶液を反応させることにより、被検体を定量する。
【００５３】
被検体を含む第１の溶液としては、例えば、野菜中に含まれる農薬を定量する場合には、野菜をジューサで１分間粉砕均一化することにより得られる液体を、そのまま、もしくは、必要により濾過したり水で希釈することにより得られる。従来より用いられている方法では、粉砕均一化した試料にメタノールなどの有機溶媒を加えて振とう抽出し、その後ろ過するなどの前処理が必要である。これに対し、インクジェット法を用いる場合には、前処理せずに、粉砕均一化をそのまま用いることができるため、検査の手間を省き、短時間で検査することが可能となる。
【００５４】
第１の溶液の粘度は、例えば、グリセリンなどを添加することにより、１ｍＰａ・ｓ以上１００ｍＰａ・ｓ以下に調整されることが好ましい。溶液の粘度が１ｍＰａ・ｓより小さい場合には吐出が不安定となり、定量吐出が困難となる。また、溶液の粘度が１００ｍＰａ・ｓを超えると、環境温度によって吐出量がばらつきやすくなる。好ましくは、溶液の粘度は２ｍＰａ・ｓ以上２０ｍＰａ・ｓ以下であり、より好ましくは３ｍＰａ・ｓ以上１０ｍＰａ・ｓ以下である。
【００５５】
１．４．第２の溶液
次に、本実施の形態に係るインクジェット法を用いた検査方法において使用する、抗体を含む第２の溶液について説明する。第２の溶液は、第１の溶液に含まれる被検体と特異的に反応する抗体を含む。
【００５６】
第２の溶液は、抗体を、蒸留水などの水系溶媒に所定の濃度となるように添加することにより調製される。用いられる抗体は、第１の溶液に含まれる被検体と特異的に反応する抗体であればどのようなものでも使用可能であるが、モノクローナル抗体を用いることが好ましい。例えば、被検体として農産物中の農薬を対象とした場合、農産物に由来する夾雑物の影響により、農産物の残留農薬の測定は誤差が生じやすい。そこで、被検体である農薬と高い反応性を示すモノクローナル抗体を用いると、夾雑物の影響を受けにくくなり、更に感度および精度を向上させることが可能となる。
【００５７】
また、抗体が基板に付着しやすくなるように、抗体をポリプロピレン、ポリエチレン、ポリスチレン等の微粒子に付着されていることが好ましい。この場合、微粒子の直径は、インクジェット法により吐出可能な大きさであることが好ましく、例えば、微粒子の直径
が１０ｎｍ以上１μｍ以下であることが好ましい。微粒子の直径が１０ｎｍ未満の場合は、微粒子に固定化される抗体がばらつきやすくなり、１μｍを超えるとインクジェットでの吐出が不安定になりやすい。微粒子の直径は、好ましくは１５ｎｍ以上５００ｎｍ以下であり、より好ましくは２０ｎｍ以上３００ｎｍ以下である。なお、抗体の微粒子への固定化は、例えば、抗体と、吸着又は固相である微粒子の官能基との共有結合によって行われる。
【００５８】
第２の溶液の粘度は、第１の溶液と同様に、例えば、グリセリンなどを添加することにより、１ｍＰａ・ｓ以上１００ｍＰａ・ｓ以下に調整されることが好ましい。溶液の粘度が１ｍＰａ・ｓより小さい場合には吐出が不安定となり、定量吐出が困難となる。また、溶液の粘度が１００ｍＰａ・ｓを超えると、環境温度によって吐出量がばらつきやすくなる。好ましくは、液体の粘度は２ｍＰａ・ｓ以上２０ｍＰａ・ｓ以下であり、より好ましくは３ｍＰａ・ｓ以上１０ｍＰａ・ｓ以下である。
【００５９】
１．５．第３の溶液
次に、本実施の形態に係るインクジェット法を用いた検査方法において、上記第１および第２の溶液以外の第３の溶液を用いてもよい。
【００６０】
第３の溶液としては、例えば、抗原抗体反応後の未反応物質を洗浄除去するための、洗浄液としてのイオン交換水や、抗原または抗体を発色させる発色液および発色反応を停止させる反応停止薬などがあげられる。また、ＰＣＲ法（ポリメラーゼ連鎖反応法）を用いた検査法の場合には、ＤＮＡを増幅させるための増幅溶液があげられる。その他、各種検出物質を含む検出溶液を用いてもよい。
【００６１】
また、第３の溶液においても、第１および第２の溶液と同様に、例えば、グリセリンなどを添加することにより、１ｍＰａ・ｓ以上１００ｍＰａ・ｓ以下に粘度が調整されることが好ましい。
【００６２】
なお、上記各種溶液は、自分で調製することも可能であるが、市販キットを用いてもよい。市販キットとしては、例えば、農薬用としては、残留農薬測定ＥＬＩＺＡキット  Ｓｍａｒｔ  Ａｓｓａｙシリーズ（ホリバ・バイオテクノロジー社製）、ＥｎｖｉｒｏＧａｒｄ残留農薬キット（ＳＤＩ社製）、ＲａＰＩＤＡｓｓａｙ残留農薬キット（ＳＤＩ社製）、ＴｕｂｅＫｉｔ残留農薬キット（Ｂｅａｃｏｎ社製)などがあげられる。これらの市販キットを用いることにより、より簡便に検査を行うことが可能となる。
【００６３】
１．６．検査方法
次に、本実施の形態に係るインクジェット法を用いた検査方法について説明する。
【００６４】
本実施の形態に係るインクジェット法を用いた検査方法は、被検体を含む第１の溶液を、インクジェット法で吐出させることにより基板上に塗布する第１の工程と、抗体を含む第２の溶液を、インクジェット法で吐出させることにより基板上に塗布する第２の工程と、を有し、第１の溶液と第２の溶液は、基板上の同じ位置に塗布され、抗体と被検体とを基板上で反応させることにより、被検体を定量することによって行われる。
【００６５】
本実施の形態に係るインクジェット法を用いた検査方法では、第１および第２の工程において、溶液を基板上に塗布する方法としてインクジェット法を用いているため、短時間に、基板上に多種の溶液を小面積に塗布することができる。このため、一度に検査できる検体数を増やすことが可能となる。検体数を増やすことにより、例えば、一度に複数種の被検体を検査できるだけでなく、複数種の抗体を用いたり、異なる希釈倍率とした希釈列を作ることが可能となる。このように、インクジェット法を用いることにより、複数種の
被検体に対して、複数種の試薬、各種濃度で一度に検査することが可能となる。
【００６６】
また、マイクロピペットを使用してサンプル瓶やマイクロプレートに溶液を分注する場合には混合・振とう工程が必要であるが、インクジェット法を用いる場合には、別途混合・振とう工程を行うことなく、第１の溶液と第２の溶液とを、均一に混ぜることが可能となる。更に、インクジェット法を用いることにより、少量の試料で検査でき、更には、１回の吐出で形成されるドットの大きさを適宜調節できるため、短時間に、高感度および高精度で複数の試料の定量的な検査が可能となる。
【００６７】
上述したように、「基板上の同じ位置」とは、基板１０８上で第１の溶液の液滴と第２の溶液の液滴とが接触できる領域をさす。つまり、基板上１０８に塗布された第１の溶液の液滴と第２の溶液の液滴とが、接触することにより１つの液滴となって混合し、反応可能な領域をさす。
【００６８】
本実施の形態に係るインクジェット法を用いた検査方法においては、第１の工程と第２の工程は、同時に行っても、また、どちらの工程を先に行ってもよい。第１の工程と第２の工程を同時に行う場合には、溶液を基板上に塗布すると同時に第１の溶液と第２の溶液とを均一に混合することが可能となり、第１および第２の溶液の塗布と同時に抗原抗体反応が開始され、より検査時間を短くすることが可能となる。
【００６９】
また、第１の工程と第２の工程において、１ドットの量がそれぞれ１ｐｌ以上１０μｌ以下であることが好ましい。１ドットの量が１ｐｌ未満ではドットが霧状になりやすく、安定な吐出が困難になり、１０μｌを超えると第１の溶液と第２の溶液との混合が不安定になりやすい。より好ましくは、１ドットの量は１０ｐｌ以上１μｌで以下ある。このように、マイクロピペットを使用してサンプル瓶やマイクロプレートに溶液を分注する場合には、溶液量が多くなり、手動のためばらつきも大きくなるが、インクジェット法を用いた場合には溶液量が少なくてすみ、ばらつきも小さくなる。
【００７０】
また、第１の溶液と第２の溶液とが、複数回の吐出によって基板上で混合されてもよい。複数回の吐出することにより、基板上の第１の溶液と第２の溶液とを、より均一に混合することが可能となる。
【００７１】
本実施の形態に係るインクジェット法を用いた検査方法では、抗原抗体反応が加熱手段により加熱されながら行われてもよい。上述したように、加熱手段により加熱することにより、抗原抗体反応が促進される。また、その他の反応時にも加熱することにより、その他の発色および発色停止反応などを促進することが可能となる。なお、各反応は、加熱手段による加熱だけでなく、圧電素子などを用いて圧電振動しながら行われてもよい。また、反応促進のために、光を照射してもよい。
【００７２】
更に、洗浄液、試薬溶液、増幅溶液および検出溶液からなる群より選択される少なくとも一種である第３の溶液を、第１および第２の溶液を塗布した位置と同じ位置に塗布する第３の工程を有してもよい。第３の工程を有することにより、同じ装置での操作が可能となり、検査が容易となる。なお、第３の工程では、インクジェット法を用いずに他の溶液を塗布することも可能であるが、安定して溶液を定量吐出をさせる観点から、第３の溶液もインクジェットのヘッドから吐出されることが好ましい。
【００７３】
第３の工程において、例えばイオン交換水を洗浄液として用いる場合には、基板に対して一定量のイオン交換水を吐出させ、基板を移動させることにより行ってもよい。
【００７４】
これらの工程を経た反応物を、例えば、発色試薬を用いて発色させた場合には、例えば
、プレートリーダーにより特定の波長における吸光度を測定し、検量線との比較により濃度を測定することができる。
【００７５】
以上により、本実施の形態に係るインクジェット法を用いた検査方法では、インクジェット法を用いることにより、一度に複数種および濃度の異なる被検体を、高感度および高精度で検出することができる。このため、検体数を増やすことが難しいイムノアッセイにおいて、少量の試料で簡易に、また精度良く検査を行うことができ、更には、短時間でかつ低コストで行うことができる。これにより、例えば従来は分析できなかった微量かつ多数の被検体を同時に検出することが可能となり、タンパク質間相互作用及びタンパク質と他の分子との相互作用の解析を容易に行うことができる。また、医療現場において、短時間で病気の予防及び診断のために利用すること等も可能になる。更に、一度に多数の試料を測定可能なため、測定対象が多い残留農薬の分析を短時間で行うことが可能となる。
【００７６】
２．実施例
以下、本発明を実験例および比較例によってさらに具体的に説明するが、本発明はこれらの実施例のみに何ら限定されるものではない。本実施例では、競合式酵素免疫測定法を用いた残留農薬を検査する被検体として、トマトを用いた。使用するトマトは、可食部を細切りし、ジューサで１分間粉砕均一化した後、必要に応じて孔径５μｍのメンブランフィルターで濾過することによりトマト果汁として用いた。トマト果汁は、予め、残留農薬が検出されないことを確認して用いた。
【００７７】
２．１．検量線作成用標準液の調製
下記市販キット１〜４に含まれている農薬試薬を用いて、４種の農薬（アセタミプリド、イソキサンチオン、チアメトキサム、マラチオン）の検量線作成用標準液を調製した。まず、上記トマト果汁を５ｇ試験管に入れ、農薬試薬を２０ｐｐｂの濃度になるように添加し、次に、この混合液に下記市販キット１〜４に含まれている酵素複合体液を加えて等量混合希釈し、検量線作成用標準液とした。検査装置として、ピエゾ素子のヘッドを用いたインクジェットプリンターＰＸ−Ｇ９３０（セイコーエプソン株式会社製）を用い、得られた検量線作成用標準液を４つのインク容器にそれぞれ入れ、各インク容器にグリセリンを添加し、溶液の粘度を４ｍＰａ・ｓに調整して吐出量を定量化した。なお、市販キット１〜４としては、残留農薬測定ＥＬＩＺＡキット  Ｓｍａｒｔ  Ａｓｓａｙシリーズ（ホリバ・バイオテクノロジー社製）の９６ウェルプレート仕様を用いた。
＜イムノアッセイ市販キット  ＨＯＲＩＢＡ＞
・市販キット１：アセタミプリド測定キット
・市販キット２：イソキサンチオン測定キット
・市販キット３：チアメトキサム測定キット
・市販キット４：マラチオン測定キット
【００７８】
２．２．被検体溶液の調製
２．２．１．実施例１
検量線作成用標準液と同様に、トマト果汁を５ｇ試験管に入れ、農薬成分としてアセタミプリドを１ｐｐｂの濃度になるように添加し、次に、上記２．１．と同様に酵素複合体液を加えて等量混合希釈して被検体溶液を調製した。そして、インクジェットプリンターの別のインク容器に入れ、グリセリンを添加し、被検体溶液の粘度を４ｍＰａ・ｓに調整して吐出量を定量化した。
【００７９】
２．２．２．実施例２
実施例１において農薬成分として添加したアセタミプリドの代わりにイソキサンチオンを５ｐｐｂの濃度になるように添加した以外は実施例１と同様に調製して実施例２とした。
【００８０】
２．２．３．実施例３
実施例１において農薬成分として添加したアセタミプリドの代わりにチアメトキサムを添加した以外は実施例１と同様に調製して実施例３とした。
【００８１】
２．２．４．実施例４
実施例１において農薬成分として添加したアセタミプリドの代わりにマラチオンを１００ｐｐｂの濃度になるように添加した以外は実施例１と同様に調製して実施例４とした。
【００８２】
２．２．５．実施例５
実施例１において農薬成分として添加したアセタミプリドの代わりに、アセタミプリドとチアメトキサムの混合物を添加した以外は実施例１と同様に調製して実施例５とした。
【００８３】
２．３．抗体溶液の調製
検量線作成用標準液および被検体溶液を入れた容器とは別のインク容器に、上記市販キット１に含まれている抗体溶液を入れ、グリセリンを添加し、被検体溶液の粘度を４ｍＰａ・ｓに調整して吐出量を定量化した。同様に、他の３つのインク容器には、上記市販キット２〜４に含まれている抗体溶液をそれぞれ入れ、グリセリンを添加し、各抗体溶液の粘度を４ｍＰａ・ｓに調整して吐出量を定量化した。
【００８４】
２．４．その他の溶液の調製
洗浄用のイオン交換水、発色液および反応停止薬を、検量線作成用標準液、被検体溶液および抗体溶液とは異なるインク容器に別々に入れた。これらのインク容器中の溶液には、検量線作成用標準液、被検体溶液および抗体溶液と同様に、グリセリンを添加して各溶液の粘度を４ｍＰａ・ｓに調整して吐出量を定量化した。
【００８５】
２．５．農薬の定量
２．５．１．検量線の作成
室温において、表面をシリコーンで撥水処理したガラス基板上に、インクジェット法により各抗体溶液を５０μｌになるドット数塗布した。塗布した抗体溶液上に、検量線作成用標準液を５０μｌになるドット数塗布し、その状態で３０分間放置し、抗体溶液中の抗体と、検量線作成用標準液中の農薬成分とを抗原抗体反応させた。室温に放置している間に、基板上で反応した反応液の水分はほとんど蒸発した。次に、反応物上にインクジェット法によりイオン交換水を塗布して基板上の混合部分を洗浄し、未反応の農薬成分を除去した。その後、洗浄した反応物上に発色液をインクジェット法により塗布し、１０分間放置して発色反応させた。そして、発色反応させた箇所に反応停止液をインクジェット法により塗布し、反応を停止させた。最後に、Ｔｈｅｒｍｏ  Ｓｃｉｅｎｔｉｆｉｃ社製 Ｍｕｌｔｉｓｋａｎ  ＧＯマイクロプレートスペクトロフォトメータにより４５０ｎｍの波長における吸光度を測定し、検量線を作成した。
【００８６】
２．５．２．被検体溶液中の農薬成分の測定
検量線の作成と同様に、室温において、表面をシリコーンで撥水処理したガラス基板上に、インクジェット法により各抗体溶液を５０μｌになるドット数塗布した。塗布した抗体溶液上に、被検体溶液を５０μｌになるドット数塗布し、その状態で３０分間放置し、抗体溶液中の抗体と、被検体溶液中の農薬成分とを抗原抗体反応させた。室温に放置している間に、基板上で反応した反応液の水分はほとんど蒸発した。次に、反応物上にインクジェット法によりイオン交換水を塗布して基板上の混合部分を洗浄し、未反応の農薬成分を除去した。その後、洗浄した反応物上に発色液をインクジェット法により塗布し、１０分間放置して発色反応させた。そして、発色反応させた箇所に反応停止液をインクジェット法により塗布し、反応を停止させた。最後に、プレートリーダーにより４５０ｎｍの波
長における吸光度を測定し、作成した検量線から濃度を算出し、希釈度を換算して試料中に含まれる農薬の濃度とした。同じ工程を３回行った。
【００８７】
２．６．１．比較例１
上記実施例１ではインクジェット法を用いて各溶液を吐出したが、比較例１で各溶液をマイクロピペットを用いて分注した。すなわち、上記実施例１と同様に被検体溶液を調製し、得られた被検体溶液を市販キット１の抗体プレートのウェルにマイクロピペットを用いて１０μｌ入れ、室温で６０分間インキュベートした。次に、ウェルプレートをイオン交換水で洗浄した。その後、各ウェルに発色液１００μｌを滴下し、１０分間インキュベートし、更に反応停止液１００μｌを滴下して反応を停止させた。次にプレートリーダーにより各ウェルの４５０ｎｍの波長における吸光度を測定し、予め作成した検量線から濃度を算出し、希釈度を換算して試料中に含まれる農薬の濃度とした。同じ工程を３回行った。なお、検量線の作成には、酵素複合体液を１５０μｌ使用した。
【００８８】
２．６．２．実施例６
上記実施例１において、ピエゾ素子のヘッドを用いたプリンターの代わりにサーマルヘッドを使用した以外は、実施例１と同様に行った。
【００８９】
２．７．評価結果
実施例１〜５では、再現性１０％以内で各農薬成分が検出された。これに対し、比較例１では、再現性は２０％を超え、ばらつきの大きいものとなった。これは、比較例１は手動で行ったこと、更に、何回も希釈や抽出を行う必要があったためと考えられる。また、比較例１で必要としたサンプル量は実施例１〜５の１００倍以上であり、測定結果が出るまで６時間要した。なお、実施例６では測定できなかった。これは、サーマルヘッドを用いたため、抗体が熱により失活したためと考えられる。
【００９０】
以上により、本発明は、検体数を増やすことが難しいイムノアッセイにおいて、少量の試料で簡易に、また精度良く検査を行うことができることから、一度に検査できる検体数を増やし、短時間でかつ低コストで検査することが可能となる。なお、本実施例では、検量線の作成と被検体溶液中の農薬成分の測定を別々に行ったが、一度の操作により行うこともできる。この場合には、更に検査時間の短縮が可能となる。
【００９１】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【００９２】
３０…液滴吐出ヘッド、３１…カバーガラス、３２…加圧室基板、３３…電極基板、１００…液滴吐出部、１０１…ステージ、１０２…Ｙ方向駆動軸、１０３…Ｙ方向駆動モータ、１０４…Ｘ方向ガイド軸、１０５…ステージ駆動モータ、１０６…基台、１０７…制御部、１０８…基板、１１０…加熱ヒーター、１１０Ａ…加熱素子、１１０Ｂ…配線、３２１…ノズル、３２２…加圧室、３２３…受領口、３３４…電極（対向電極）、３５０…溶液（液滴）、３５０ａ…溶液
【図１】
2016169957.tif 000002
【図２】
2016169957.tif 000003
【図３】
2016169957.tif 000004
【図４】
2016169957.tif 000005